(57)【要約】【課題】予め設定された種別と異なる種別の被記録媒体が給紙された場合に、その被記録媒体に関する情報をユーザーに通知する画像形成装置を提供する。【解決手段】画像形成装置１は、画像形成部１０と検知部２０と第１設定部３１１と取得部３２１と判定部３３１と通知部４０とを備える。画像形成部１０は、画像データに基づいて被記録媒体に画像を形成する。検知部２０は、画像形成部１０に搬送される被記録媒体の種別を検知する。第１設定部３１１は、被記録媒体の種別を設定する。判定部３３１は、第１設定部３１１が設定した第１種別とは異なる第２種別が検知部２０により検知されたか否かを判定する。取得部３２１は、第２種別が検知されたことが判定部３３１により判定された場合、第２種別の被記録媒体に関する情報を取得する。通知部４０は、取得部３２１が取得した情報を通知する。【選択図】図１
2015174282.tif 000002
【特許請求の範囲】
【請求項１】
画像データに基づいて被記録媒体に画像を形成する画像形成部と、
前記画像形成部に搬送される前記被記録媒体の種別を検知する検知部と、
前記被記録媒体の種別を設定する第１設定部と、
前記第１設定部が設定した第１種別とは異なる第２種別が前記検知部により検知されたか否かを判定する判定部と、
予め決められた情報を取得する取得部と、
前記取得部が取得した情報を通知する通知部と
を備え、
前記取得部は、前記第２種別が検知されたことが前記判定部により判定された場合に、第２種別の被記録媒体に関する情報を取得する第１取得部を含む、画像形成装置。
【請求項２】
前記画像形成部は、前記第２種別の被記録媒体に対して画像を形成する、請求項１に記載の画像形成装置。
【請求項３】
前記画像形成部は、複数の画像データに基づいて複数の被記録媒体に画像を形成する場合、前記第２種別の被記録媒体を除く前記被記録媒体に画像を形成する、請求項１に記載の画像形成装置。
【請求項４】
前記被記録媒体の種別は、複数のランクを有し、
前記第２種別と前記第１種別とのランク差が第１閾値以上である場合、前記画像形成部は、前記第２種別の被記録媒体を除く前記被記録媒体に画像を形成する、請求項３に記載の画像形成装置。
【請求項５】
前記第２種別の被記録媒体に対応する画像データに基づく画像形成の指示を設定する第２設定部と、
前記第２種別の被記録媒体に対応する画像データを特定する特定部と
を備え、
前記第２設定部が、前記画像形成の指示を設定すると、前記画像形成部は、前記特定部によって特定された画像データに基づく画像を形成する、請求項１から請求項４のいずれか１項に記載の画像形成装置。
【請求項６】
前記取得部は、前記第２種別の被記録媒体に対応する画像データに関する情報を取得する第２取得部を更に含み、前記通知部は、前記第２取得部が取得した情報を通知する、請求項５に記載の画像形成装置。
【請求項７】
画像が形成された複数の被記録媒体にステープル処理を実行するステープル部を備え、
前記判定部は、前記第２種別が検知されたことを判定した場合、前記ステープル部によるステープル処理を無効にする、請求項１から請求項６のいずれか１項に記載の画像形成装置。
【請求項８】
前記第２種別が検知された回数を計数する第１計数部を更に備え、
前記第１計数部による計数結果が第２閾値以上になる場合、前記画像形成部は、画像形成処理を終了する、請求項１から請求項７のいずれか１項に記載の画像形成装置。
【請求項９】
連続して前記第２種別が検知された回数を計数する第２計数部を更に備え、
前記第２計数部による計数結果が第３閾値以上になる場合、前記画像形成部は、画像形成処理を終了する、請求項１から請求項８のいずれか１項に記載の画像形成装置。
【発明の詳細な説明】
【技術分野】
【０００１】
本発明は、用紙などの被記録媒体に画像を形成する画像形成装置に関する。
【背景技術】
【０００２】
プリンター、コピー機などの画像形成装置は、一般的に、被記録媒体の種別（普通紙、薄紙、ＯＨＰシート及び厚紙など）が設定されることにより、画像形成処理の諸条件（所定のパラメーター）を決定するように構成されている。かかる構成により、被記録媒体の種別に応じた最適な画像形成処理が実行されて、高画質の画像を提供することができる。一方で、予め設定された被記録媒体の種別と異なる種別の被記録媒体に画像が形成されると、低品質の画像が形成されることがある。そこで、特許文献１には、被記録媒体の厚さを検知するメディアセンサーを備えた画像形成装置が提案されている。特許文献１に記載の画像形成装置は、メディアセンサーにより被記録媒体の厚さを検知し、検知された厚さが予め設定された種別の被記録媒体の厚さと異なることが判定されたときに、画像形成処理（印刷ジョブ）を強制終了する。
【先行技術文献】
【特許文献】
【０００３】
【特許文献１】特開２０１０−２１１０６２号公報
【発明の概要】
【発明が解決しようとする課題】
【０００４】
しかしながら、特許文献１に記載の画像形成装置は、予め設定された被記録媒体の種別と処理対象の被記録媒体の種別とが異なることが判定されたときに、画像形成処理（印刷ジョブ）を強制終了するのみである。このため、複数の被記録媒体を順次搬送することにより複数頁の画像を形成する場合に、一連の画像形成のうちのどの段階で画像形成処理（印刷ジョブ）が強制終了されたか等を知ることに手間がかかり、ユーザーの利便性が損なわれていた。
【０００５】
本発明は上記課題に鑑みてなされたものであり、予め設定された種別と異なる種別の被記録媒体が給紙された場合に、その被記録媒体に関する情報をユーザーに通知し、ユーザーの利便性を向上させることができる画像形成装置を提供することを目的とする。
【課題を解決するための手段】
【０００６】
本発明に係る画像形成装置は、画像形成部と検知部と設定部と判定部と取得部と通知部とを備える。前記画像形成部は、画像データに基づいて被記録媒体に画像を形成する。前記検知部は、前記画像形成部に搬送される前記被記録媒体の種別を検知する。前記設定部は、前記被記録媒体の種別を設定する。前記判定部は、前記設定部が設定した第１種別とは異なる第２種別が前記検知部により検知されたか否かを判定する。前記取得部は、予め決められた情報を取得する。前記通知部は、前記取得部が取得した情報を通知する。前記取得部は、前記第２種別が検知されたことが前記判定部により判定された場合に、第２種別の被記録媒体に関する情報を取得する。
【発明の効果】
【０００７】
本発明によれば、予め設定された被記録媒体の種別と異なる種別の被記録媒体が給紙された場合に、その被記録媒体に関する情報がユーザーに通知されるので、ユーザーの利便性が向上する。
【図面の簡単な説明】
【０００８】
【図１】本発明の実施形態に係る画像形成装置のブロック図である。
【図２】本発明の実施形態に係る画像形成装置の構成を示す模式図である。
【図３】本発明の実施形態１に係る画像形成装置の動作を示すフローチャートである。
【図４】本発明の実施形態２に係る画像形成装置の動作を示すフローチャートである。
【図５】本発明の実施形態３に係る画像形成装置の動作を示すフローチャートである。
【図６】本発明の実施形態３に係る画像形成装置の動作を示すフローチャートである。
【図７】本発明の実施形態４に係る画像形成装置の動作を示すフローチャートである。
【図８】本発明の実施形態４に係る画像形成装置の動作を示すフローチャートである。
【発明を実施するための形態】
【０００９】
以下、図面を参照して本発明に係る画像形成装置の実施形態を説明する。なお、図中、同一または相当部分については同一の参照符号を付して説明を繰り返さない。
【００１０】
まず、図１〜図３を参照して、本発明の実施形態１に係る画像形成装置１を説明する。図１は、画像形成装置１のブロック図である。図２は、画像形成装置１の構成を示す模式図である。図３は、画像形成装置１の動作を示すフローチャートである。
【００１１】
図１に示すように、画像形成装置１は、画像形成部１０と検知部２０と制御部３０と通知部４０とを備える。画像形成部１０は、画像データに基づいて被記録媒体に画像を形成する。本実施形態では、被記録媒体は用紙である。用紙は、普通紙、厚紙、または光沢紙であり得る。
【００１２】
検知部２０は、画像形成部１０に搬送される用紙の種別を検知する。詳しくは、検知部２０は、用紙の属性を検知する。本実施形態では、検知部２０は、用紙の紙厚（重量）を検知する。
【００１３】
制御部３０は、画像形成装置１全体の動作を制御する。制御部３０は、記憶領域を有する。記憶領域は、プログラム、及び設定情報を記憶する。記憶領域は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）から成る。制御部３０は、ＲＯＭに予め記憶された各種の制御プログラムを実行することにより、画像形成装置１全体の動作を制御する。
【００１４】
制御部３０は、各種の処理を行う処理部３１０を含む。処理部３１０は、第１設定部３１１と取得部３２１と判定部３３１とを含む。本実施形態では、処理部３１０は、中央演算処理装置（Ｃｅｎｔｒａｌ  Ｐｒｏｃｅｓｓｉｎｇ  Ｕｎｉｔ：ＣＰＵ）である。ＣＰＵは、ＲＯＭに記憶された制御プログラムを読み出して、各種の演算処理を実行する。ＣＰＵは各種の演算処理のために一時記憶メモリーとしてＲＡＭを使用する。
【００１５】
第１設定部３１１は、ユーザーの指定に基づいて用紙の種別を設定する。本実施形態では、第１設定部３１１は、ユーザーによって指定された用紙の種別に基づいて紙厚の規定値を設定する。本実施形態では、用紙の種別は、薄紙、普通紙、厚紙及び光沢紙などを含む。
【００１６】
取得部３２１は、予め決められた情報を取得する。取得部３２１は、第１取得部３２１ａを有する。第１取得部３２１ａは、第１種別とは異なる第２種別が検知された用紙（第２種別の被記録媒体）に関する情報を取得し、記憶領域に記憶させる。第１種別は、第１設定部３１１が設定した用紙の種別を示す。第２種別は、検知部２０により検知された用紙の種別のうち第１種別と異なる種別を示す。
【００１７】
判定部３３１は、第１設定部３１１が設定した第１種別とは異なる第２種別が検知部２０により検知されたか否かを判定する。
【００１８】
通知部４０は、第１取得部３２１ａによって取得された情報をユーザーに通知する。
【００１９】
次に図２を参照して、画像形成装置１の構成について詳細に説明する。画像形成装置１は、複写機、プリンター、ファクシミリまたはこれらの機能を兼ね備えた複合機であり得る。
【００２０】
画像形成装置１は、画像形成部１０、検知部２０、制御部３０及び通知部４０に加えて、給紙部１１０、用紙搬送部１２０、トナー供給装置１４０及び用紙排出部１６０を更に備える。本実施形態では、画像形成部１０は、作像部１３０及び定着装置１５０を含む。
【００２１】
給紙部１１０は、複数枚の用紙Ｐを収容し、用紙搬送部１２０に用紙Ｐを給紙する。給紙部１１０は、複数の給紙ローラー群１１１及び複数の給紙カセット１１２を含む。複数の給紙ローラー群１１１の各々は、各給紙カセット１１２に対応して配置される。複数の給紙ローラー群１１１は、対応する給紙カセット１１２に収容されている用紙Ｐを１枚ずつ取り出して用紙搬送部１２０に給紙する。
【００２２】
用紙搬送部１２０は、作像部１３０と定着装置１５０とを経由して用紙排出部１６０へ用紙Ｐを搬送する。用紙排出部１６０は、用紙Ｐを装置外へ排出する。用紙搬送部１２０は、第１用紙搬送部１２１、第２用紙搬送部１２２及び第３用紙搬送部１２３を含む。
【００２３】
第１用紙搬送部１２１は、給紙部１１０によって給紙された用紙Ｐを、作像部１３０を経由して定着装置１５０まで搬送する。第１用紙搬送部１２１は、レジストローラー対１２１ａを含む。第２用紙搬送部１２２は、定着装置１５０から搬送された用紙Ｐを第３用紙搬送部１２３または用紙排出部１６０へと搬送する。第３用紙搬送部１２３は、用紙Ｐの両面に画像を形成する場合に使用される。すなわち、第３用紙搬送部１２３は、定着装置１５０で片面にトナー像が定着された用紙Ｐを第１用紙搬送部１２１へ搬送する。詳しくは、第３用紙搬送部１２３は、レジストローラー対１２１ａの上流側に用紙Ｐを搬送する。
【００２４】
作像部１３０は、用紙Ｐにトナー像を形成する。作像部１３０は、複数の感光体１３１と複数の現像装置１３２と転写装置１３３と露光装置１３４とを含む。複数の現像装置１３２の各々は、各感光体１３１に対応して配置される。
【００２５】
露光装置１３４は、画像データに基づいて各感光体１３１にレーザー光を照射して露光し、各感光体１３１上に静電潜像を形成する。各感光体１３１は、静電潜像及びトナー像を担持する。各現像装置１３２は、対応する感光体１３１にトナーを供給して静電潜像を現像する。これにより、各感光体１３１にトナー像が形成される。各現像装置１３２には、トナー補給装置１４０からトナーが補給される。
【００２６】
転写装置１３３は、各感光体１３１に形成されたトナー像を用紙Ｐに重ねて転写する。
【００２７】
定着装置１５０は、定着部材１５１及び加圧部材１５２によって用紙Ｐを加熱及び加圧することで、作像部１３０において形成された未定着のトナー像を用紙Ｐに定着させる。
【００２８】
実施形態１では、レジストローラー対１２１ａの上流側に検知部２０が配置される。詳しくは、検知部２０は、給紙部１１０の下流側かつ第１用紙搬送部１２１と第３用紙搬送部１２３とが合流する位置Ｑの上流側に配置される。検知部２０は、給紙部１１０から給紙され画像形成部１０（作像部１３０）に搬送される用紙Ｐの紙厚を検知する。本実施形態では、検知部２０は、メディアセンサーである。
【００２９】
画像形成装置１の本体上部には、通知部４０が配置される。通知部４０は、ユーザーに、第１取得部３２１ａが取得した情報を通知する。本実施形態では、通知部４０は、タッチパネルである。
【００３０】
次に図３を参照して、画像形成装置１の動作について説明する。図３は、制御部３０による処理のフローを示す。図３に示すように、制御部３０が、記憶されたプログラムを読み出して、ステップＳ５０２からステップＳ５１４を実行することによって、画像形成装置１は、第２種別の用紙Ｐ（第２種別の被記録媒体）に関する情報をユーザーに通知する。本実施形態では、ユーザーが用紙Ｐの種別として普通紙を設定した場合を例に、画像形成装置１の動作を説明する。
【００３１】
ステップＳ５０２：第１設定部３１１は、ユーザーが指定した用紙Ｐの種別を設定する。本実施形態では、ユーザーが指定した用紙Ｐの種別（第１種別）に基づいて、紙厚の規定値が設定される。なお、一般的に、用紙Ｐの紙厚の目安として重量が用いられる。ここでは、ユーザーが普通紙を指定し、第１設定部３１１が、紙厚の規定値として０．０７ｋｇ／１枚を設定する。例えば、制御部３０の記憶領域に、用紙Ｐの種別と紙厚とを対応させたテーブルを記憶させておき、第１設定部３１１がテーブルを用いてユーザー指定の用紙Ｐの種別から紙厚の規定値を設定してもよい。
【００３２】
ステップＳ５０４：画像形成部１０に搬送される用紙Ｐの種別が検出部２０により検知されて、処理部３１０に検出部２０の検知結果が入力される。本実施形態では、検知部２０は、画像形成部１０に搬送される用紙Ｐの紙厚（重量）を検知する。
【００３３】
ステップＳ５０６：判定部３３１は、検知部２０により検知された用紙Ｐの種別が第１設定部３１１によって設定された第１種別とは異なる第２種別であるか否かを判定する。本実施形態では、検知部２０により検知された紙厚が、紙厚の規定値と一致するか否かが判定される。検知された紙厚（重量）が規定値（０．０７ｋｇ／１枚）と一致する場合（ステップＳ５０６：Ｎｏ）、処理は、ステップＳ５０９に進む。一方、画像形成部１０に搬送される用紙Ｐの種別が第２種別である場合（ステップＳ５０６：Ｙｅｓ）、すなわち、検知部２０により検知された紙厚が規定値と一致しない場合、処理は、ステップＳ５０８へ進む。
【００３４】
ステップＳ５０８：第１取得部３２１ａは、画像形成部１０に搬送される第２種別の用紙Ｐ（第２種別の被記録媒体）に関する情報を取得し、取得した情報を記録領域に記憶させる。例えば、第１取得部３２１ａは、第２種別の用紙Ｐに関する情報として、１つの印刷ジョブにおいて搬送される複数枚の用紙Ｐのうち、第２種別と判定された用紙Ｐが何枚目の用紙Ｐであるかを示す情報を取得する。
【００３５】
ステップＳ５０９：処理部３１０は、用紙Ｐに画像が形成されるように画像形成装置１の各部を制御する。なお、ステップＳ５０９において第１種別の用紙Ｐにのみ画像が形成されてもよい。すなわち、第２種別の用紙Ｐについては画像を形成することなく、装置外部に排紙してもよい。
【００３６】
ステップＳ５１０：処理部３１０は、画像形成処理（印刷ジョブ）が終了したか否かを判定する。画像形成処理が終了した場合（ステップＳ５１０：Ｙｅｓ）、処理は、ステップＳ５１２へ進む。一方、画像形成処理が終了していない場合（ステップＳ５１０：Ｎｏ）、処理は、ステップＳ５０４へ戻る。
【００３７】
ステップＳ５１２：処理部３１０は、第２種別の用紙Ｐが存在したか否かを判定する。第２種別の用紙Ｐが存在した場合（ステップＳ５１２：Ｙｅｓ）、処理は、ステップＳ５１４へ進む。一方、第２種別の用紙Ｐが存在しなかった場合（ステップＳ５１２：Ｎｏ）、処理は、終了する。
【００３８】
ステップＳ５１４：処理部３１０は、通知部４０に、第２種別の用紙Ｐに関する情報を通知させる。具体的には、通知部４０は、１つの印刷ジョブにおいて搬送される複数枚の用紙Ｐのうち、第２種別と判定された用紙Ｐが何枚目の用紙Ｐであるかを示す情報を通知する。
【００３９】
以上、図１〜図３を参照して説明したように、画像形成装置１は、予め設定された第１種別と異なる種別である第２種別の用紙Ｐ（第２種別の被記録媒体）を検知した場合に、第２種別の用紙Ｐに関する情報を取得し、ユーザーに通知することができる。したがって、ユーザーは第２種別の用紙Ｐに関する情報に基づいて様々な処理が可能となる。その結果、ユーザーの利便性が向上する。
【００４０】
［実施形態２］
次に、図１、図２、図４を参照して、本発明の実施形態２に係る画像形成装置１について説明する。実施形態２と実施形態１とでは、複数枚の用紙Ｐの束に対してステープル処理が実行される点が異なる。以下、実施形態２について、実施形態１と異なる事項を説明し、実施形態１と重複する事項の説明は割愛する。
【００４１】
図１及び図２に示すように、画像形成装置１は、ステープル部５０を更に備える。ステープル部５０は、画像が形成された複数枚の用紙Ｐに対してステープル処理を実行する。本実施形態では、ユーザーがステープル処理の実行を予め指示している場合について説明する。
【００４２】
次に図４を参照して、画像形成装置１の動作について説明する。図４は、制御部３０による処理のフローを示す。図４に示すように、制御部３０が、記憶されたプログラムを読み出してステップＳ６０２からステップＳ６２４を実行することによって、画像形成装置１は、ステープル処理の有効及び無効を決定する。本実施形態では、ユーザーが用紙Ｐの種別として普通紙を設定した場合を例に、画像形成装置１の動作を説明する。ステップＳ６０２及びステップＳ６０４は、実施形態１におけるステップＳ５０２及びステップＳ５０４（図３参照）と同様であるため、説明を省略する。以下ステップＳ６０６以降の処理について説明する。
【００４３】
ステップＳ６０６：判定部３３１は、検知部２０により検知された用紙Ｐの種別が第１設定部３１１によって設定された第１種別とは異なる第２種別であるか否かを判定する。本実施形態では、検知部２０により検知された紙厚が、紙厚の規定値と一致するか否かが判定される。検知された紙厚（重量）が規定値と一致する場合（ステップＳ６０６：Ｎｏ）、処理は、ステップＳ６０８へ進む。一方、画像形成部１０に搬送される用紙Ｐの種別が第２種別である場合（ステップＳ６０６：Ｙｅｓ）、すなわち、検知部２０により検知された紙厚が規定値と一致しない場合、処理は、ステップＳ６１０へ進む。
【００４４】
ステップＳ６０８：処理部３１０は、第１種別の用紙Ｐに画像が形成されるように画像形成装置１の各部を制御する。
【００４５】
ステップＳ６１０：第１取得部３２１ａは、画像形成部１０に搬送される第２種別の用紙Ｐに関する情報を取得し、取得した情報を記録領域に記憶させる。例えば、第１取得部３２１ａは、第２種別の用紙Ｐに関する情報として、１つの印刷ジョブにおいて搬送される複数枚の用紙Ｐのうち、第２種別と判定された用紙Ｐが何枚目の用紙Ｐであるかを示す情報を取得する。
【００４６】
ステップＳ６１２：処理部３１０は、第２種別の用紙Ｐが検知された場合の後処理を判定する。処理部３１０は、ユーザーの指定に応じて、第２種別の用紙Ｐが検知された場合の後処理を予め設定している。本実施形態では、後処理として、画像形成：Ｆ、スキップ：Ｋ（第２種別の用紙Ｐに対して画像を形成しない）及び強制終了：Ｔのいずれかが予め設定される。
【００４７】
画像形成Ｆが設定されている場合（ステップＳ６１２：Ｆ）、処理は、ステップＳ６１４へ進む。スキップＫが設定されている場合（ステップＳ６１２：Ｋ）、処理は、ステップＳ６１６へ進む。強制終了Ｔが設定されている場合（ステップＳ６１２：Ｔ）、処理は、ステップＳ６２０へ進む。
【００４８】
ステップＳ６１４：処理部３１０は、第２種別の用紙Ｐに画像が形成されるように画像形成装置１の各部を制御する。
【００４９】
ステップＳ６１６：処理部３１０は、画像形成処理（印刷ジョブ）が終了したか否かを判定する。画像形成処理が終了した場合（ステップＳ６１６：Ｙｅｓ）、処理は、ステップＳ６１８へ進む。一方、画像形成処理が終了していない場合（ステップＳ６１６：Ｎｏ）、処理は、ステップＳ６０４へ戻る。
【００５０】
ステップＳ６１８：処理部３１０は、第２種別の用紙Ｐが存在したか否かを判定する。第２種別の用紙Ｐが存在した場合（ステップＳ６１８：Ｙｅｓ）、処理は、ステップＳ６２０へ進む。このとき、判定部３３１は、ステープル処理を無効にする。一方、第２種別の用紙Ｐが存在しなかった場合（ステップＳ６１８：Ｎｏ）、処理は、ステップＳ６２４へ進む。
【００５１】
ステップＳ６２０：処理部３１０は、通知部４０に、第２種別の用紙Ｐに関する情報を通知させる。具体的には、通知部４０は、１つの印刷ジョブにおいて搬送される複数枚の用紙Ｐのうち、第２種別と判定された用紙Ｐが何枚目の用紙Ｐであるかを示す情報を通知する。
【００５２】
ステップＳ６２２：処理部３１０は、通知部４０に、ステープル部５０によるステープル処理の無効を通知させる。なお、ステップＳ６２０とステップＳ６２２との順序は前後してもよい。
【００５３】
ステップＳ６２４：処理部３１０は、ステープル部５０に、用紙Ｐの束に対するステープル処理を実行させる。
【００５４】
以上、図１、図２及び図４を参照して説明したように、画像形成装置１は、１つの印刷ジョブにおいて、搬送される複数枚の用紙Ｐに第２種別の用紙Ｐが含まれる場合、ステープル処理を実行せずに、ユーザーにステープル処理が無効となったことを通知する。したがって、ユーザーにとって望ましくない第２種別の用紙を含む用紙の束がステープルされる事態が起こらない。
【００５５】
［実施形態３］
続いて、図１、図２、図５及び図６を参照して、本発明の実施形態３に係る画像形成装置１の動作について説明する。実施形態３と実施形態１とでは、第２種別の用紙Ｐに対応する画像データに基づいて再度画像を形成することができる点が異なる。以下、実施形態３について、実施形態１と異なる事項を説明し、実施形態１と重複する事項の説明は割愛する。
【００５６】
図１に示すように、処理部３１０は、第２設定部３１２と特定部３４１と第２取得部３２１ｂとを更に含む。
【００５７】
第２設定部３１２は、第２種別の用紙Ｐ（第２種別の被記録媒体）に対応する画像データに基づく画像形成の指示を設定する。ここで、第２種別の用紙Ｐに対応する画像データは、第２種別の用紙Ｐに画像を形成する場合には、その画像に対応する画像データである。または、第１種別の用紙Ｐに対してのみ画像を形成する場合には、第２種別の用紙Ｐに形成する予定であった画像に対応する画像データが第２種別の用紙Ｐに対応する画像データである。
【００５８】
特定部３４１は、第２種別の用紙Ｐに対応する画像データを特定する。詳しくは、特定部３４１は、第２種別の用紙Ｐに対応する画像データにフラグを立てる。または、特定部３４１は、画像形成要求時にすべての画像データが格納される第１記憶領域から第１記憶領域とは異なる第２記憶領域に第２種別の用紙Ｐに対応する画像データを複製してもよい。
【００５９】
第２取得部３２１ｂは、第２種別の用紙Ｐに対応する画像データに関する情報を取得する。
【００６０】
通知部４０は、第１取得部３２１ａ及び第２取得部３２１ｂによって取得された情報をユーザーに通知する。
【００６１】
次に、図５及び図６を参照して、画像形成装置１の動作について説明する。図５及び図６は、制御部３０による処理のフローを示す。図５及び図６に示すように、制御部３０が、記憶されたプログラムを読み出して、ステップＳ７０２からステップＳ７２６を実行することによって、画像形成装置１は、第２種別の用紙Ｐに対応する画像データに基づいて再度画像を形成することができる。ステップＳ７０２からステップＳ７０８は、実施形態１におけるステップＳ５０２からステップＳ５０８（図３参照）と同様であるため、説明を省略する。以下、ステップＳ７１０以降の処理について説明する。
【００６２】
ステップＳ７１０：特定部３４１は、第２種別の用紙Ｐに対応する画像データを特定する。
【００６３】
ステップＳ７１２：第２取得部３２１ｂは、第２種別の用紙Ｐに対応する画像データに関する情報を取得する。具体的には、１つの印刷ジョブにおける複数の画像データのうち第２種別の用紙Ｐに対応する画像データが何番目に入力されたかを示す情報（原稿の順序）を取得する。なお、ステップＳ７０８、ステップＳ７１０及びステップＳ７１２の順番は互いに入れ替え可能である。
【００６４】
ステップＳ７１３：処理部３１０は、用紙Ｐに画像が形成されるように画像形成装置１の各部を制御する。なお、ステップＳ７１３において第１種別の用紙Ｐにのみ画像が形成されてもよい。すなわち、第２種別の用紙Ｐについては画像を形成することなく、装置外部に排紙してもよい。
【００６５】
ステップＳ７１４：処理部３１０は、画像形成処理（印刷ジョブ）が終了したか否かを判定する。画像形成処理が終了した場合（ステップＳ７１４：Ｙｅｓ）、処理は、ステップＳ７１６へ進む。一方、画像形成処理が終了していない場合（ステップＳ７１４：Ｎｏ）、処理は、ステップＳ７０４に戻る。
【００６６】
ステップＳ７１６：処理部３１０は、第２種別の用紙Ｐが存在したか否かを判定する。第２種別の用紙Ｐが存在した場合（ステップＳ７１６：Ｙｅｓ）、処理は、ステップＳ７１８へ進む。一方、第２種別の用紙Ｐが存在しなかった場合（ステップＳ７１６：Ｎｏ）、処理は、終了する。
【００６７】
ステップＳ７１８：処理部３１０は、通知部４０に、第２種別の用紙Ｐに関する情報を通知させる。具体的には、通知部４０は、１つの印刷ジョブにおいて搬送される複数枚の用紙Ｐのうち、第２種別と判定された用紙Ｐが何枚目の用紙Ｐであるかを示す情報を通知する。
【００６８】
ステップＳ７２０：処理部３１０は、通知部４０に、特定部３４１によって特定された画像データに関する情報を通知させる。具体的には、通知部４０は、１つの印刷ジョブにおいて入力される画像データのうち、第２種別に対応する画像データが何番目に入力された画像データであるかを示す情報を通知する。なお、ステップＳ７１８とステップＳ７２０との順序は前後してもよい。
【００６９】
ステップＳ７２２：処理部３１０は、通知部４０を介して、特定部３４１によって特定された画像データに基づいて再度、画像を形成するか否かの指示をユーザーに要求する。画像形成が指示された場合（ステップＳ７２２：Ｙｅｓ）、処理は、ステップＳ７２４へ進む。一方、画像形成が指示されなかった場合（ステップＳ７２２：Ｎｏ）、処理は終了する。
【００７０】
ステップＳ７２４：第２設定部３１２は、画像形成の指示を設定する。
【００７１】
ステップＳ７２６：処理部３１０は、用紙Ｐに画像が形成されるように画像形成装置１の各部を制御する。
【００７２】
以上、図１、図２、図５及び図６を参照して説明したように、画像形成装置１は、第２種別の用紙Ｐに対応する画像データを特定し、特定した画像データに関する情報をユーザーに通知する。ユーザーは、通知された情報に基づいて画像を再度、形成することができる。その結果、ユーザーは第２種別の用紙Ｐに対応する画像データを画像形成装置１に再度入力する必要がなくなり、ユーザーの利便性が向上する。
【００７３】
［実施形態４］
続いて、図１、図２、図７及び図８を参照して、本発明の実施形態４に係る画像形成装置１について説明する。実施形態４と実施形態１とでは、画像形成処理（印刷ジョブ）を強制終了させる条件として、第２種別の用紙Ｐが検知された回数（総検知回数）及び第２種別の用紙Ｐが連続して検知された回数（連続検知回数）が用いられる点が異なる。以下、実施形態４について、実施形態１と異なる事項を説明し、実施形態１と重複する事項の説明は割愛する。
【００７４】
図１に示すように、画像形成装置１は、計数部３５１を更に備える。計数部３５１は、第１計数部３５１ａと第２計数部３５１ｂとを有する。第１計数部３５１ａは、第２種別が検知された回数（総検知回数）を計数する。第２計数部３５１ｂは、連続して第２種別が検知された回数（連続検知回数）を計数する。
【００７５】
次に、図７及び図８を参照して、画像形成装置１の動作について説明する。図７及び図８は、制御部３０による処理のフローを示す。図７及び図８に示すように、制御部３０が、記憶されたプログラムを読み出してステップＳ９０２からステップＳ９２８を実行することによって、画像形成装置１は、第２種別の用紙Ｐに関する情報をユーザーに通知する。ステップＳ９０２からステップＳ９０８は、実施形態１におけるステップＳ５０２からステップＳ５０８（図３参照）と同様であるため、説明を省略する。以下ステップＳ９１０以降の処理について説明する。
【００７６】
ステップＳ９１０：第１計数部３５１ａは、第１計数値を１増加する。第１計数値は、総検知回数を示す。
【００７７】
ステップＳ９１２：処理部３１０は、第１計数値（計数結果）と総検知回数の閾値とを比較する。第１計数値が総検知回数の閾値未満である場合（ステップＳ９１２：Ｎｏ）、処理は、ステップＳ９１４へ進む。一方、第１計数値が総検知回数の閾値（第２閾値の一例）以上である場合（ステップＳ９１２：Ｙｅｓ）、処理は、ステップＳ９２４へ進む。このとき、画像形成処理（印刷ジョブ）が強制終了する。なお、総検知回数の閾値は、ユーザーによって予め設定されてもよいし、規定値であってもよい。
【００７８】
ステップＳ９１４：処理部３１０は、連続して第２種別の用紙Ｐが検知されたか否かを判定する。連続して第２種別の用紙Ｐが検知された場合（ステップＳ９１４：Ｙｅｓ）、処理は、ステップＳ９１８へ進む。一方、連続して第２種別の用紙Ｐを検知しなかった場合（ステップＳ９１４：Ｎｏ）、処理は、ステップＳ９１６へ進む。
【００７９】
ステップＳ９１６：第２計数部３５１ｂは、第２計数値を初期化する。第２計数値は、連続検知回数を示す。
【００８０】
ステップＳ９１８：第２計数部３５１ｂは、第２計数値を１増加する。
【００８１】
ステップＳ９２０：処理部３１０は、第２計数値（計数結果）と連続検知回数の閾値とを比較する。第２計数値が連続検知回数の閾値（第３閾値の一例）以上である場合（ステップＳ９２０：Ｙｅｓ）、処理は、ステップＳ９２４へ進む。このとき、画像形成処理（印刷ジョブ）が強制終了する。一方、第２計数値が連続検知回数の閾値未満である場合（ステップＳ９２０：Ｎｏ）、処理は、ステップＳ９２１へ進む。なお、連続検知回数の閾値は、ユーザーによって予め設定されてもよいし、規定値であってもよい。
【００８２】
ステップＳ９２１：処理部３１０は、用紙Ｐに画像が形成されるように画像形成装置１の各部を制御する。なお、ステップＳ９２１において第１種別の用紙Ｐにのみ画像が形成されてもよい。すなわち、第２種別の用紙Ｐについては画像を形成することなく、装置外部に排紙してもよい。
【００８３】
ステップＳ９２２：処理部３１０は、画像形成処理（印刷ジョブ）が終了したか否かを判定する。画像形成処理が終了した場合（ステップＳ９２２：Ｙｅｓ）、処理は、ステップＳ９２４へ進む。一方、画像形成処理が終了していない場合（ステップＳ９２２：Ｎｏ）、処理は、ステップＳ９０４へ戻る。
【００８４】
ステップＳ９２４：処理部３１０は、第２種別の用紙Ｐが存在したか否かを判定する。第２種別の用紙Ｐが存在した場合（ステップＳ９２４：Ｙｅｓ）、処理は、ステップＳ９２６へ進む。一方、第２種別の用紙Ｐが存在しなかった場合（ステップＳ９２４：Ｎｏ）、処理は、ステップＳ９２８へ進む。
【００８５】
ステップＳ９２６：処理部３１０は、通知部４０に、第２種別の用紙Ｐに関する情報を通知させる。具体的には、通知部４０は、１つの印刷ジョブにおいて搬送される複数枚の用紙Ｐのうち、第２種別と判定された用紙Ｐが何枚目の用紙Ｐであるかを示す情報を通知する。
【００８６】
ステップＳ９２８：計数部３５１は、計数値（第１計数値及び第２計数値）を初期化する。
【００８７】
以上、図１、図２、図７及び図８を参照して説明したように、画像形成装置１は、第２種別の用紙Ｐが検知された回数（総検知回数）、または第２種別の用紙Ｐが連続して検知された回数（連続検知回数）に基づいて画像形成処理（印刷ジョブ）を強制終了させることができる。したがって、用紙Ｐの無駄を低減できる。
【００８８】
なお、上記実施形態１〜４において説明した各事項は適宜組み合わせることができる。例えば、実施形態２において説明したステープル処理の有効／無効の判定処理、及びステープル処理の無効通知処理を、第３実施形態において説明した処理に加えてもよい。
【００８９】
以上、図面（図１〜図８）を参照しながら本発明の実施形態を説明した。但し、本発明は、上記の実施形態に限られるものではなく、その要旨を逸脱しない範囲で種々の態様において実施することが可能である。
【００９０】
例えば、通知部は、音声発生装置であってもよい。また、処理部３１０は、クライアントＰＣに接続される液晶ディスプレーに、第１取得部３２１ａによって取得された情報を通知してもよい。
【００９１】
また、上記実施形態では、画像形成処理（印刷ジョブ）を強制終了させる条件として、第２種別の用紙Ｐが検知された回数（総検知回数）、及び第２種別の用紙Ｐが連続して検知された回数（連続検知回数）の両方が使用されたが、これらのうちの一方を、画像形成処理を強制終了させる条件としてもよい。
【００９２】
また、上記実施形態では、第１種別としての紙厚の基準値が一定値で設定されたが、紙厚の基準値は所定の範囲の値であってもよい。例えば、紙厚の基準値として、０．０７ｋｇ／１枚以上０．０７３ｋｇ／１枚未満の範囲が設定されてもよい。
【００９３】
また、被記録媒体の種別は複数のランクを有してもよい。種別を紙厚によって規定する場合には、所定の範囲ごとに分けられた各紙厚の範囲に、各ランクを対応させる。例えば、０．０７ｋｇ／１枚未満の紙厚を第１ランクとして規定し、０．０７ｋｇ／１枚以上０．０７３ｋｇ／１枚未満の紙厚を第２ランクとして規定し、０．０７３ｋｇ／１枚以上０．０９ｋｇ／１枚未満の紙厚を第３ランクとして規定し、０．０９ｋｇ／１枚以上１．０５ｋｇ／１枚未満の紙厚を第４ランクとして規定し、１．０５ｋｇ／１枚以上１．１０ｋｇ／１枚未満の紙厚を第５ランクとして規定し、１．１０ｋｇ／１枚以上の紙厚を第６ランクとして規定してもよい。この場合、第１種別として第２ランクが設定されたときには、第１ランク及び第３〜第６ランクの紙厚が第２種別として検知される。
【００９４】
また、被記録媒体の種別が複数のランクを有する場合、処理部３１０は、通知部４０に、第１種別と第２種別とのランク差を通知させてもよい。例えば、図１に示すように、取得部３２１が第３取得部３２１ｃを更に有し、第３取得部３２１ｃが、第１種別と第２種別とのランク差を取得してもよい。具体的には、所定の範囲ごとに分けられた各紙厚の範囲に、各ランクを対応させた場合、処理部３１０は、通知部４０に、第１種別に対応するランクと、検知された第２種別のランクとの差を通知させる。
【００９５】
また、被記録媒体の種別が複数のランクを有する場合、処理部３１０は、第１種別と第２種別とのランク差が所定の閾値（第１閾値の一例）以上であるときに、画像形成処理（印刷ジョブ）を強制終了させてもよい。
【００９６】
また、被記録媒体の種別が複数のランクを有する場合、処理部３１０は、第１種別と第２種別とのランク差が所定の閾値以上であるときに、画像形成処理をスキップ（第２種別の用紙Ｐに対して画像を形成しない）させてもよい。
【００９７】
また、本発明は、制御部３０（コンピューター）に図３〜図８を参照して説明した処理を実行させるプログラム、または、そのプログラムを記録したコンピューター読み取り可能な記録媒体の発明として捉えてもよい。例えば、本発明を、制御部３０（コンピューター）に、図３を参照して説明した処理を実行させるプログラムとして捉えた場合、そのプログラムにより、制御部３０の処理部３１０は、第１設定部３１１、判定部３３１及び第１取得部３２１ａ等として機能する。すなわち、そのプログラムは、用紙Ｐの種別を設定する手順と、画像形成部１０へ搬送される用紙Ｐの種別を検知部２０に検知させる手順と、設定された第１種別とは異なる第２種別が検知部２０によって検知されたか否かを判定する手順と、設定された第１種別とは異なる第２種別が検知されたことが判定された場合、第２種別の用紙Ｐに関する情報を取得する手順と、第２種別の用紙Ｐに関する情報を通知部４０に通知させる手順とを制御部３０（コンピューター）に実行させる。
【００９８】
また、上記実施形態では、本発明を電子写真方式の画像形成装置に適用した場合について説明したが、本発明は他の画像形成装置（例えば、インクジェット記録方式の画像形成装置）にも適用可能である。
【００９９】
また、上記実施形態では、被記録媒体が用紙である場合について説明したが、被記録媒体は用紙以外（例えば、樹脂製シートや布帛）であってもよい。
【０１００】
その他にも、本発明の要旨を逸脱しない範囲で上記実施形態に種々の改変を施すことができる。
【符号の説明】
【０１０１】
１          画像形成装置
１０        画像形成部
２０        検知部
３０        制御部
４０        通知部
５０        ステープル部
３１１      第１設定部
３１２      第２設定部
３２１      取得部
３２１ａ    第１取得部
３２１ｂ    第２取得部
３３１      判定部
３４１      特定部
３５１ａ    第１計数部
３５１ｂ    第２計数部
【図１】
2015174282.tif 000003
【図２】
2015174282.tif 000004
【図３】
2015174282.tif 000005
【図４】
2015174282.tif 000006
【図５】
2015174282.tif 000007
【図６】
2015174282.tif 000008
【図７】
2015174282.tif 000009
【図８】
2015174282.tif 000010